(57)【要約】【課題】  本発明は、既存の橋梁用ケーブルの危険個所に耐熱性・耐衝撃性に優れた保護部材の取り付け作業が非常に容易に行うことができる既設橋梁用ケーブルにおけるテロ対策用防護機構を提供することを目的とするものである。【解決手段】  本発明は、長大橋である吊り橋１、あるいは斜張橋７の橋梁用ケーブル５の適宜個所に設置されるテロ対策用防護機構Ａにおいて、橋梁用ケーブル５の外周面に対して隙間を設けて外挿される防護板６と、前記隙間に充填される充填材９とから構成される。【選択図】      図３
2007046268.tif 000002
【特許請求の範囲】
【請求項１】
長大橋である吊り橋、あるいは斜張橋の橋梁用ケーブルの適宜個所に設置されるテロ対策用防護機構において、
橋梁用ケーブルの外周面に対して隙間を設けて外挿される防護板と、
前記隙間に充填される充填材とから構成される
ことを特徴とする既設橋梁用ケーブルにおけるテロ対策用防護機構。
【請求項２】
前記防護板が、耐衝撃性、耐火性および耐久性を有する合成樹脂素材より形成される
ことを特徴とする請求項１記載の既設橋梁用ケーブルにおけるテロ対策用防護機構。
【請求項３】
前記充填材は、モルタルセメントにより形成される
ことを特徴とする請求項１または２記載の既設橋梁用ケーブルにおけるテロ対策用防護機構。
【発明の詳細な説明】
【技術分野】
【０００１】
本発明は、既設橋梁用ケーブルにおけるテロ対策用防護機構に関する。詳しくは長大橋の吊橋や斜張橋のメインケーブルを爆弾テロから防護機構に係るものである。
【背景技術】
【０００２】
従来より長大橋の吊橋や斜張橋などの橋梁用ケーブルは、常に塩害や風雨に晒されるとことから耐候性や耐蝕性に優れた防護膜によって覆う必要性がある。この種の防護手段を備えた発明として例えば図６に示す橋梁用ケーブルがある。この橋梁用ケーブルは、多数のストランド１０１を束ねてなるケーブル本体１０２の外周に、発泡ポリエチレン成形体からなる断熱板１０３の全周辺にチタンアングルからなる保持縁材１０４を貼着してなる内層板１０５と、薄肉のチタン板からなる表皮板１０６とを有してなる複合被覆板１０７を被装してなる構成とされる（特許文献１参照。）。
【０００３】
【特許文献１】特開平６−３３４２１号公報（要約書、第１図）
【発明の開示】
【発明が解決しようとする課題】
【０００４】
前記の橋梁用ケーブルでは、耐蝕性に優れる表皮板に耐候および防水機能を担持させることで、定期的な再塗布を要する塗料塗布に依存することなく、その表層に安定した耐候・防水皮膜を長期に維持できるものである。
【０００５】
しかしながら例えばテロにより橋梁用ケーブルに爆薬が仕掛けられた場合には、前記のような防護膜では、その爆発時の衝撃力に耐えることはできず一部の鋼線が切断されることにより次から次に他の鋼線が破断して橋梁用ケーブルが破断することによって支持される橋桁が崩れ落ちるなどの大惨事になる恐れがある。
【０００６】
したがって、テロの脅威にさらされている国では２４時間体制でのパトロールによって侵入者によるテロ行為を防いでいるのが現状であり、非常に多くの警備員と経費がかかるために全ての吊り橋などの警備は不可能となり、重要幹線道路としての機能が果たせなくなる恐れがある。
【０００７】
例えば、橋を通過中の可燃物を搭載したタンクローリー車が事故によって爆発炎上した場合には、その爆発時による高温によって近接する橋梁用ケーブルが破断する恐れがある。
【０００８】
このようなテロや事故の対策として、既存の橋梁用ケーブルの全長に渡って、新たに耐熱性・耐衝撃性に優れた保護部材によって覆着するには足場などの確保の安全性や搬送および取り付け作業が非常に煩雑となる問題がある。
【０００９】
本発明は、以上の点に鑑みて創案されたものであって、既存の橋梁用ケーブルの危険個所に耐熱性・耐衝撃性に優れた保護部材の取り付け作業が非常に容易に行うことができる既設橋梁用ケーブルにおけるテロ対策用防護機構を提供することを目的とするものである。
【課題を解決するための手段】
【００１０】
上記の目的を達成するために、本発明に係る既設橋梁用ケーブルにおけるテロ対策用防護機構は、長大橋である吊り橋、あるいは斜張橋の橋梁用ケーブルの適宜個所に設置されるテロ対策用防護機構において、橋梁用ケーブルの外周面に対して隙間を設けて外挿される防護板と、前記隙間に充填される充填材とから構成される。
【００１１】
ここで、爆破物が設置され易い橋梁用ケーブルの適宜個所に、橋梁用ケーブルの外周面に対して隙間を設けて防護板を外挿し、該隙間にモルタルセメントなどによる充填材を充填することにより、防護板が爆破による直接的な衝撃および高熱を遮断して充填材への影響を排除し、さらに充填材が橋梁用ケーブル５への間接的な衝撃および高熱を排除して破断を防ぐものである。
【発明の効果】
【００１２】
本発明の既設橋梁用ケーブルにおけるテロ対策用防護機構では、耐蝕性防護膜が施された既存のケーブルに対して、耐熱性および耐衝撃性に優れた素材より形成される筒体により外挿してケーブルと筒体との隙間にモルタルを充填することで容易に防護材を被覆することが可能となる。
【００１３】
また、防護機構の施工の際にはメインケーブルの防護を必要とされる個所に軽量の筒体を外挿して、モルタルを注入することで施工が完了するものであり、手間がかからず、かつ短期間での施工が可能となる。
【発明を実施するための最良の形態】
【００１４】
以下、本発明の実施の形態を図面を参酌しながら説明し、本発明の理解に供する。
図１は、長大橋のうち吊り橋の一例の概要を示す側面説明図、図２は、長大橋のうち斜張橋の一例の概要を示す側面説明図である。
【００１５】
ここで示す吊り橋１は、海峡や川を挟んで対岸には橋台２，２が設置され、各橋台２，２間に船舶の往来に充分な幅を確保した状態で橋脚３，３が立設される。
【００１６】
そこで前記橋台２，２間に渡設される橋桁４を橋台２から橋脚３の上端を通して橋梁用ケーブル５を張り、この橋梁用ケーブル５と橋桁４とを補助ケーブル１０によって連結することで橋桁４が水平状に吊り下げられるものである。
【００１７】
また、斜張橋７は、比較的距離の長い海峡や川の間に数個の橋脚３を立設し、これらの橋脚３間に渡設される橋桁４を各橋脚３の頂点を中心として、これから派生する橋梁用ケーブル５によって橋桁４を連結することで橋桁４が水平状に吊り下げられるものである。
【００１８】
したがってこれらの吊り橋１および斜張橋７の橋桁４は橋梁用ケーブル５によって吊り下げられて支えられているために、例えば橋梁用ケーブル５がテロ行為によって爆破されて切断などの大きな損傷を受けた場合には橋桁４を水平状に支持することができず傾く、あるいは崩れ落ちるなどの大惨事となる恐れがある。
【００１９】
そこで前記吊り橋１の場合では、橋台２との接続個所および橋桁４の中央付近に位置する橋梁ケーブル５に爆薬を設置される危険性が高い。
【００２０】
また、前記斜張橋７の場合では、橋桁４上の橋梁用ケーブル５との接続個所に爆薬を設置される危険性が高い。
【００２１】
このように爆薬が設置される危険性の高い個所の橋梁用ケーブル５に対して、図３（イ）、（ロ）に示すようにテロ対策用防護機構を設けるものである。
【００２２】
このテロ対策用防護機構Ａは、橋梁用ケーブル５の長手方向の外周面に対して耐衝撃性、耐火性および耐久性に優れた半円筒形状の防護板６、６の両側端を重ねた状態で接合用ピン１１によって結合することで橋梁用ケーブル５の外周面と一定の隙間を空けた状態で外挿されるものである。
【００２３】
そして橋梁用ケーブル５の外周面と防護板６との間の隙間にモルタルセメント注入ホース８を挿し込み、前記防護板６の一端側を閉塞してモルタルセメント９の注入を行うことより隙間なくモルタルセメント９の充填が行えるものである。
【００２４】
これにより橋梁用ケーブル５外周面はモルタルセメント９によって被包されることになり、爆発による橋梁用ケーブル５への衝撃力を緩和させることになる。
【００２５】
なお、前記防護板６の素材としては、耐衝撃性、耐火性および耐久性を有するものを使用するものであるが、その中で最も耐火性に優れたポリエチレン系、最も耐衝撃性に優れたナイロン系、あるいは最も耐久性に優れたエポキシ系など環境に応じて最も適した素材を使用することが望ましい。
【００２６】
また、橋梁用ケーブル５の外周面と防護板６との間には、必ずしもモルタルセメントを充填する必要性はなく、例えば硬化材が混入されるセメントミルクや硬化樹脂充填材など爆発による衝撃を吸収する素材や耐火性に優れた素材など橋梁用ケーブルの破断を防ぐことができる充填材であればいかなるものであっても構わない。
【００２７】
本発明では、図４に示すように吊り橋１の場合には、橋台２と橋梁用ケーブル５との接続部分に長さ約２メートルのテロ対策用防護機構Ａを設け、更に橋桁４中央の付近の橋梁用ケーブル５にテロ対策用防護機構Ａを設ける。
【００２８】
また、図５に示すように斜張橋７の場合では、橋桁４上の橋梁用ケーブル５との接続個所にそれぞれテロ対策用防護機構Ａを設ける。
【００２９】
このようにして爆破物が設置され易い橋梁用ケーブル５の個所にテロ対策用防護機構Ａを設けることによって、例えばテロにより爆破物が取り付けられて爆破された場合や可燃物を搭載したタンクローリー車の事故による爆発炎上時には、の橋梁用ケーブル５の外周面が一定厚さのモルタルセメント９と防護板６によって被包されていることにより、最初に防護板６が爆破による直接的な衝撃および高熱を遮断してモルタルセメント９への影響を排除し、さらにモルタルセメント９が橋梁用ケーブル５への間接的な衝撃および高熱を排除して破断を防ぐものである。
【００３０】
また、テロ対策用防護機構Ａを取り外し場合には、防護板６を取り外した後に、露出したモルタルセメント９をハンマーなどによって打撃することにより破砕することで容易に取り外すことができる。
【図面の簡単な説明】
【００３１】
【図１】長大橋のうち吊り橋の一例の概要を示す側面説明図である。
【図２】長大橋のうち斜張橋の一例の概要を示す側面説明図である。
【図３】本発明を適用したテロ対策用防護機構の一例を示す説明図である。
【図４】本発明を適用したテロ対策用防護機構を吊り橋に取り付ける場合の一例を示す説明図である。
【図５】本発明を適用したテロ対策用防護機構を斜張橋に取り付ける場合の一例を示す説明図である。
【図６】従来の橋梁用ケーブルの一例を示す説明図である。
【符号の説明】
【００３２】
１    吊り橋
２    橋台
３    橋脚
４    橋桁
５    橋梁用ケーブル
６    防護板
７    斜張橋
８    モルタルセメント注入ホース
９    モルタルセメント
１０  補助ケーブル
１１  接合用ピン
【図１】
2007046268.tif 000003
【図２】
2007046268.tif 000004
【図３】
2007046268.tif 000005
【図４】
2007046268.tif 000006
【図５】
2007046268.tif 000007
【図６】
2007046268.tif 000008